(57)【要約】【課題】  電池パックを着脱自在に保持する電動工具において、比較的簡素な構成で、端子間の接触不良を低減する。【解決手段】  本体部２の電池パック保持部４に電池パック３を装着することにより、本体部２の接続端子５，６と電池パック３の電極端子７，８とが電気的に接続される電動工具１において、電極端子７，８に対して電池パックの３取付方向の先側に潤滑剤供給体１４を設け、本体部２に電池パック３を装着するときに、当該潤滑剤供給体１４と接続端子５，６とが当接するようにした。【選択図】      図１
2006123015.tif 000002
【特許請求の範囲】
【請求項１】
本体部側に設けた電池パック保持部に電池パックを装着することにより、本体部側の接続端子と電池パックの電極端子とが電気的に接続される電動工具において、
前記本体部または電池パックに潤滑剤供給体を設け、本体部に電池パックを装着するときに、前記接続端子および電極端子のうち少なくともいずれか一方に、当該潤滑剤供給体が当接して、潤滑剤が塗布されるようにしたことを特徴とする電動工具。
【請求項２】
前記電極端子に対して電池パックの取付方向の先側に潤滑剤供給体を設け、本体部に電池パックを装着するときに、当該潤滑剤供給体と接続端子とが当接するようにしたことを特徴とする請求項１に記載の電動工具。
【請求項３】
前記電池パックのケースに、潤滑剤供給体への潤滑剤の供給口を設けたことを特徴とする請求項２に記載の電動工具。
【請求項４】
前記接続端子に対して電池パックの取付方向の手前側に潤滑剤供給体を設け、本体部に電池パックを装着するときに、当該潤滑剤供給体と電極端子とが当接するようにしたことを特徴とする請求項１に記載の電動工具。
【請求項５】
前記接続端子に潤滑剤供給体を装着したことを特徴とする請求項１に記載の電動工具。
【発明の詳細な説明】
【技術分野】
【０００１】
本発明は、電動工具に関する。
【背景技術】
【０００２】
従来の充電式電動工具や可搬式電動工具の多くは、電池パックを本体に着脱自在として、満充電された電池パックに交換できるようになっている。この種の電動工具では、通常、本体側に設けた電池パック保持部に電池パックを装着すると、本体側の接続端子と電池パックの電極端子とが電気的に接続されるようになっている。
【特許文献１】実用新案登録第２５４９８４９号公報
【特許文献２】特開平９−７６１７４号公報
【特許文献３】特開平８−２２９８５２号公報
【特許文献４】特開平８−２９０３７１号公報
【特許文献５】特開平８−２２９８５３号公報
【特許文献６】特開平９−２３９６７７号公報
【特許文献７】特開平１０−２９６６６０号公報
【特許文献８】特開２０００−１５６２１２号公報
【特許文献９】特開２０００−３２５９３２号公報
【特許文献１０】特開２００４−１３０４９２号公報
【発明の開示】
【発明が解決しようとする課題】
【０００３】
ところで、この種の電動工具では、ドリルドライバーのようにクラッチ動作時に振動したり、インパクトドライバーや、振動ドリル、ハンマードリルなどのように打撃時に振動したりして、本体の接続端子と電池パックの電極端子とが摩擦し、その摩耗粉が急速に酸化して絶縁皮膜が形成され、それらの端子間で接触不良が生じる場合がある。
【０００４】
こうした摩耗粉の酸化による絶縁皮膜の影響は、端子同士の接触面積が小さいほど、大きくなる。よって、通常よく見られる、端子の一方を凸に折り曲げて他方に当接させる形状の場合は、接触領域が線状になるため、当該摩耗粉の酸化による絶縁皮膜の影響を受けやすい。また、電池パックの着脱を繰り返すことにより、端子同士の接触面が損傷して接触面積がさらに小さくなる場合もある。
【０００５】
そして、このような接触不良により接触部分の抵抗値が上昇すると、当該接触部分が発熱し、工具本体や電池パックが熱変形したりする場合もある。
【０００６】
こうした不具合を解消すべく、上記特許文献１〜１０では、本体の接続端子を左右対称に配置して接触状態を安定化させたり、本体の接続端子と電池パックの電極端子との接触箇所を増やしたり、本体と電池パックとの間に弾性体を介装させたり、あるいは本体に設けたリブで振動を抑制したりと、種々の対策がとられている。
【０００７】
しかしながら、かかる対策でも十分とはいえず、また、構造が複雑化して大型化したり高価になったりする場合もあった。
【０００８】
そこで、本発明は、電池パックを着脱自在に保持する電動工具において、比較的簡素な構成で、端子間の接触不良を低減することを目的とする。
【課題を解決するための手段】
【０００９】
請求項１の発明にあっては、本体部側に設けた電池パック保持部に電池パックを装着することにより、本体部側の接続端子と電池パックの電極端子とが電気的に接続される電動工具において、上記本体部または電池パックに潤滑剤供給体を設け、本体部に電池パックを装着するときに、上記接続端子および電極端子のうち少なくともいずれか一方に、当該潤滑剤供給体が当接して、潤滑剤が塗布されるようにしたことを特徴とする。
【００１０】
請求項２の発明にあっては、上記電極端子に対して電池パックの取付方向の先側に潤滑剤供給体を設け、本体部に電池パックを装着するときに、当該潤滑剤供給体と接続端子とが当接するようにしたことを特徴とする。
【００１１】
請求項３の発明にあっては、上記電池パックのケースに、潤滑剤供給体への潤滑剤の供給口を設けたことを特徴とする。
【００１２】
請求項４の発明にあっては、上記接続端子に対して電池パックの取付方向の手前側に潤滑剤供給体を設け、本体部に電池パックを装着するときに、当該潤滑剤供給体と電極端子とが当接するようにしたことを特徴とする。
【００１３】
請求項５の発明にあっては、上記接続端子に潤滑剤供給体を装着したことを特徴とする。
【発明の効果】
【００１４】
請求項１の発明によれば、本体部に電池パックを装着するときに、本体部の接続端子および電池パックの電極端子のうち少なくともいずれか一方に潤滑剤供給体が当接して、潤滑剤が塗布されるようにしたため、この潤滑剤により、端子が摩耗するのを抑制することができる。また、電池パックを本体部に装着する際に自動的に塗布されるようにしたため、改めて塗布する作業が不要となる上、塗布し忘れたりするのを抑制することができる。
【００１５】
請求項２の発明によれば、上記電極端子に対して電池パックの取付方向の先側に潤滑剤供給体を設け、電池パックを本体部に装着するときに潤滑剤供給体と接続端子とが当接して、接続端子に潤滑剤が塗布されるようにしたため、改めて潤滑剤を塗布したりすることなく、より容易にかつより確実に端子に潤滑剤を塗布し、端子の摩耗を抑制することができる。
【００１６】
請求項３の発明によれば、電池パックのケースに、潤滑剤供給体への潤滑剤の供給口を設けたため、潤滑剤供給体に潤滑剤を容易に補給することができる。
【００１７】
請求項４の発明によれば、接続端子に対して電池パックの取付方向の手前側に潤滑剤供給体を設け、電池パックを本体部に装着するときに潤滑剤供給体と電極端子とが当接して、電極端子に潤滑剤が塗布されるようにしたため、改めて潤滑剤を塗布したりすることなく、より容易にかつより確実に端子に潤滑剤を塗布し、端子の摩耗を抑制することができる。
【００１８】
請求項５の発明によれば、接続端子に潤滑剤供給体を装着することで、上記電極端子に潤滑剤を塗布するための構成を簡素な構成として得ることができるとともに、当該潤滑剤供給体により、接続端子にも潤滑剤を供給することができるという利点がある。
【発明を実施するための最良の形態】
【００１９】
以下、本発明の実施形態について図面を参照しながら詳細に説明する。
【００２０】
（第１実施形態）図１〜４は、本発明の第１実施形態にかかる電動工具を示しており、図１は、電動工具の側面図（一部断面図）、図２は、電動工具の要部の断面図（図１のＡ−Ａ断面図）、図３は、電動工具に装着される電池パックの分解斜視図、図４は、電池パックの外観を示す斜視図である。
【００２１】
本実施形態にかかる電動工具１は、例えば、ドリルドライバーや、インパクトドライバー、振動ドリル、ハンマードリル等の回転工具あるいは衝撃工具として構成されるものである。この電動工具１では、本体部２の下部に凹部として形成される電池パック保持部４内に、電池パック３の突出部１１を、図中矢印で示す取付方向（所定の装着位置までの電池パック３の移動方向）に移動させて挿入し、電池パック３の係合爪１８と電池パック保持部４の開口部に設けられる被係合部２０とを係合させ、電池パック３を本体部２に固定するようにしている。
【００２２】
本体部２は、分割体を接合して構成されるケーシング２ａ内に、例えば、電動モータ、減速機構、トリガスイッチ、制御回路（スイッチ回路）等（いずれも図示せず）を備えている。
【００２３】
電池パック３は、例えば充電式の電池であり、本体部２に着脱自在に取り付けられ、本体部２内の電動モータや制御回路等の電源電池として機能するものである。
【００２４】
そして、この電動工具１では、本体部２に電池パック３を装着したときに、本体部２側の接続端子５，６と電池パック３側の電極端子７，８とが接触し、電池パック３内の電池本体３ａが、これら電極端子７，８および接続端子５，６を経由して、本体部２内の電動モータや制御回路等に電気的に接続される。
【００２５】
本実施形態では、接続端子５，６は、電池パック保持部４の奥側で押さえ板１９によって固定される帯状かつ板状の導電性部材（金属部材）として構成されており、ケーシング２ａの内壁上で山型に折り曲げられて内側に突出する接触部２１，２２を備え、電池パック３の取付方向に沿って延設されている。なお、本実施形態では、二つの接続端子５，６が、電池パック保持部４内で相互に対向する位置に配設されている。
【００２６】
一方、電極端子７，８は、電池パック３の突出部１１の上端部の相互に背向する側壁上に設けられており、本実施形態では、突出部１１の外壁を構成する上側カバー９に設けられた略矩形の開口窓１５から露出するようになっている。そして、図２に示すように、電池パック３が本体部２の電池パック保持部４に装着された状態で、接続端子５の接触部２１と電極端子７とが接触し、かつ接続端子６の接触部２２と電極端子８とが接触するようになっている。
【００２７】
ここで、本実施形態では、これら端子同士が接触する部分に潤滑剤を供給するための潤滑剤供給体１４が、電池パック３に設けられている。すなわち、電極端子７，８に対して、電池パック３の取付方向の先側となる位置に潤滑剤供給体１４を配置しておき、電池パック３を本体部２の所定の装着位置に近付けると、接続端子５，６（の接触部２１，２２）が、電極端子７，８より先に潤滑剤供給体１４に当接し、該潤滑剤供給体１４から、接続端子５，６に潤滑剤が塗布されるようにしてある。
【００２８】
具体的には、電池パック３において、電池本体３ａを収容する下側本体部１０上に、突出部１１の内側部分となる内側本体部１２を形成し、この内側本体部１２の相互に背向する側壁上に一対の電極端子７，８を配置する。そして、これら電極端子７，８よりも突出先側（すなわち電池パック３の取付方向の先側）となる位置に、潤滑剤供給体１４として、潤滑剤を含浸する例えばフェルトやスポンジ等の板状の含浸体を配置し、それらの上に、上側カバー９を載せて一体化し、電池パック３を組み立てる。このとき、上側カバー９に形成する開口窓１５を電極端子７，８の位置からさらに突出先側となる潤滑剤供給体１４の位置まで延ばしておき、潤滑剤供給体１４としての薄板状の含浸体の側端部を、電極端子７，８とともに、この開口窓１５から露出させる。このとき、さらに、潤滑剤供給体１４の端部を、電極端子７，８の外表面より外側に張り出させておくのが好適である。
【００２９】
かかる構成とすることで、電池パック３を本体部２に装着するときに、本体部２の接続端子５，６が電極端子７，８に当接する前に潤滑剤供給体１４に当接し、当該潤滑剤供給体１４に含浸される潤滑剤が接続端子５，６に塗布される。
【００３０】
すなわち、本実施形態によれば、潤滑剤が塗布されるため、接続端子５，６および電極端子７，８が摩耗するのを抑制することができる。
【００３１】
さらに、本実施形態によれば、電極端子７，８に対して電池パック３の取付方向の先側に潤滑剤供給体１４を設けたことにより、電池パック３を本体部２に装着するときに潤滑剤供給体１４と接続端子５，６とが当接して、当該接続端子５，６に潤滑剤が自動的に塗布されるようになるため、改めて潤滑剤を塗布したりすることなく、より容易にかつより確実に端子の摩耗を抑制することができる。
【００３２】
なお、上述したように、潤滑剤供給体１４を、電極端子７，８の外表面より外側に張り出させておけば、接続端子５，６によって潤滑剤供給体１４が内側に押されるため、当該潤滑剤供給体１４から潤滑剤をより確実に染み出させ、接続端子５，６の接触面に塗布することができる。
【００３３】
（第２実施形態）図５は、本発明の第２実施形態にかかる電動工具に用いられる電池パック３Ａの外観を示す斜視図である。なお、本実施形態にかかる電池パック３Ａは、上記第１実施形態にかかる電池パック３と同様の構成要素を備えているため、それらについては同じ符号を付し、重複する説明を省略する。
【００３４】
本実施形態にかかる電池パック３Ａは、上記第１実施形態にかかる電池パック３とほぼ同様の構成を備えるものであるが、本実施形態では、さらに、電池パック３Ａの突出部１１Ａの天井壁に貫通孔２３を形成し、この貫通孔２３を、潤滑剤供給体１４への潤滑剤の供給口として用いるものである。本実施形態でも、突出部１１Ａの内部構造のうち、最も突出先側（取付方向の先側）となる位置に潤滑剤供給体１４を配置しているため、突出部１１Ａの突出先側の天井壁に貫通孔２３を形成すると、この貫通孔２３から潤滑剤供給体１４が露出することになる。かかる構成とすれば、この貫通孔２３を介して潤滑剤供給体１４に潤滑剤を供給することができる。
【００３５】
すなわち、本実施形態によれば、潤滑剤供給体１４に潤滑剤を供給する供給口として貫通孔２３を設けたため、電池パック３の組み立て後、必要に応じて潤滑剤を供給することができるようになる。また、使用状況や、摩耗状況、環境条件等に合わせて、適切な潤滑剤を用いるような使い方も可能となる。さらに、潤滑剤供給体１４に含浸される潤滑剤の量が不足した場合には、この貫通孔２３から潤滑剤を補給することができるため、より長期に亘って、より確実に摩耗を抑制することができるようになる。
【００３６】
（第３実施形態）図６，７は、本発明の第３実施形態にかかる電動工具を示しており、図６は、電動工具の側面図（一部断面図）、図７は、電動工具の要部の断面図（図６のＢ−Ｂ断面図）である。なお、本実施形態にかかる電動工具１Ｂは、上記第１実施形態にかかる電動工具１Ｂと同様の構成要素を備えているため、それらについては同じ符号を付し、重複する説明を省略する。
【００３７】
本実施形態では、潤滑剤供給体２４が、本体部２Ｂに設けられている。すなわち、本実施形態では、本体部２Ｂの、接続端子５，６に対して電池パック３Ｂの取付方向の手前側となる位置に潤滑剤供給体２４を配置しておき、電池パック３Ｂを本体部２Ｂの所定の装着位置に近付けたときに、電極端子７，８が、接続端子５，６（の接触部２１，２２）より先に潤滑剤供給体２４に当接し、該潤滑剤供給体２４から、電極端子７，８に潤滑剤が塗布されるようにしてある。
【００３８】
具体的には、上記第１実施形態と同様に、電池パック保持部４の奥側のケーシング２ｂの内壁上に帯状かつ板状の接続端子５，６を設け、これら接続端子５，６よりも電池パック３Ｂの取付方向の手前側となる位置に凹部２５を形成し、この凹部２５に、潤滑剤供給体２４として、潤滑剤を含浸する例えばフェルトやスポンジ等の塊状の含浸体を嵌挿する。このとき、潤滑剤供給体２４の内側端部を接触部２１，２２より内側に張り出させておくのが好適である。
【００３９】
かかる構成とすることで、電池パック３Ｂを本体部２Ｂに装着するときに、電池パック３Ｂの電極端子７，８が接続端子５，６に当接する前に潤滑剤供給体２４に当接し、当該潤滑剤供給体２４に含浸される潤滑剤が電極端子７，８に塗布される。
【００４０】
すなわち、本実施形態のように、本体部２Ｂ側に潤滑剤供給体２４を設けた場合にも、上記第１実施形態と同様の効果を得ることができる。
【００４１】
さらに、本実施形態の場合には、潤滑剤供給体２４を、接続端子５，６より内側に張り出させておけば、電極端子７，８によって潤滑剤供給体２４が外側に押されるため、当該潤滑剤供給体２４から潤滑剤をより確実に染み出させ、電極端子７，８の接触面に塗布することができる。
【００４２】
また、本実施形態では、凹部２５をケーシング２ｂの表裏を貫通する貫通穴としておけば、潤滑剤供給体２４にケーシング２ｂの外側から潤滑剤を供給することができて便利である。
【００４３】
（第４実施形態）図８〜１０は、本発明の第４実施形態にかかる電動工具を示しており、図８は、電動工具の側面図（一部断面図）、図９は、電動工具の要部の断面図（図８のＣ−Ｃ断面図）、図１０は、電動工具の本体部に設けられる接続端子および潤滑剤供給体の斜視図である。なお、本実施形態にかかる電動工具１Ｃは、上記第１または第３実施形態にかかる電動工具１，１Ｂと同様の構成要素を備えているため、それらについては同じ符号を付し、重複する説明を省略する。
【００４４】
本実施形態では、潤滑剤供給体２７が、本体部２Ｃの接続端子５Ｃ，６Ｃに設けられている。すなわち、本実施形態では、接続端子５Ｃ，６Ｃの、電極端子７，８との接触部２１Ｃ，２２Ｃに対して電池パック３Ｂの取付方向の手前側となる位置に、潤滑剤供給体２７を装着しておき、電池パック３Ｂを本体部２Ｃの所定の装着位置に近付けたときに、電極端子７，８が、接続端子５Ｃ，６Ｃの接触部２１Ｃ，２２Ｃより先に潤滑剤供給体２７に当接し、該潤滑剤供給体２７から、電極端子７，８に潤滑剤が塗布されるようにしてある。
【００４５】
具体的には、上記第１実施形態と同様に、電池パック保持部４の奥側のケーシング２ａの内壁上に帯状かつ板状の接続端子５Ｃ，６Ｃを設け、これら接続端子５Ｃ，６Ｃの接触位置２１Ｃ，２２Ｃよりも電池パック３Ｂの取付方向の手前側となる位置に、潤滑剤供給体２７として、潤滑剤を含浸する例えばフェルトやスポンジ等の環状の含浸体を装着する。本実施形態では、接続端子５Ｃ，６Ｃの潤滑剤供給体２７を装着する部分に、相互に対向する一対の切欠２６を設けておき、この切欠２６で潤滑剤供給体２７が係止されるようにしている。
【００４６】
かかる構成とすることで、電池パック３Ｂを本体部２Ｃに装着するときに、電池パック３Ｂの電極端子７，８が接続端子５Ｃ，６Ｃに当接する前に潤滑剤供給体２７に当接し、当該潤滑剤供給体２７に含浸される潤滑剤が電極端子７，８に塗布される。
【００４７】
すなわち、本実施形態のように、接続端子５Ｃ，６Ｃに潤滑剤供給体２７を設けた場合にも、上記第３実施形態と同様の効果を得ることができる。
【００４８】
そして、本実施形態の場合にも、潤滑剤供給体２７を、接続端子５Ｃ，６Ｃよりさらに内側に張り出させておけば、潤滑剤供給体２７が電極端子７，８によって外側に押されるため、潤滑剤供給体２７から潤滑剤をより確実に染み出させて、電極端子７，８の接触面に塗布することができる。
【００４９】
以上、本発明の好適な実施形態について説明したが、本発明は上記実施形態に限定されるものではなく、要旨を逸脱しない範囲で上記実施形態に種々の改変を施すことができる。例えば、各端子の設定位置や形状、大きさ、構成等は、上記実施形態には限定されない。また、上記各実施形態にそれぞれ開示した構成を、適宜組み合わせて実施することも可能である。
【図面の簡単な説明】
【００５０】
【図１】本発明の第１実施形態にかかる電動工具の側面図（一部断面図）。
【図２】本発明の第１実施形態にかかる電動工具の要部の断面図（図１のＡ−Ａ断面図）。
【図３】本発明の第１実施形態にかかる電動工具に装着される電池パックの分解斜視図。
【図４】本発明の第１実施形態にかかる電動工具に装着される電池パックの外観を示す斜視図。
【図５】本発明の第２実施形態にかかる電動工具に装着される電池パックの外観を示す斜視図。
【図６】本発明の第３実施形態にかかる電動工具の斜視図（一部断面図）。
【図７】本発明の第３実施形態にかかる電動工具の要部の断面図（図６のＢ−Ｂ断面図）。
【図８】本発明の第４実施形態にかかる電動工具の斜視図（一部断面図）。
【図９】本発明の第４実施形態にかかる電動工具の要部の断面図（図８のＣ−Ｃ断面図）。
【図１０】本発明の第４実施形態にかかる電動工具に設けられる接続端子および潤滑剤供給体の斜視図。
【符号の説明】
【００５１】
１，１Ｂ，１Ｃ  電動工具
２，２Ｂ，２Ｃ  本体部
３，３Ａ，３Ｂ  電池パック
４  電池パック保持部
５，５Ｃ，６，６Ｃ  接続端子
７，８  電極端子
１４，２４，２７  潤滑剤供給体
２１，２１Ｃ，２２，２２Ｃ  接触部
２３  貫通孔（供給口）
【図１】
2006123015.tif 000003
【図２】
2006123015.tif 000004
【図３】
2006123015.tif 000005
【図４】
2006123015.tif 000006
【図５】
2006123015.tif 000007
【図６】
2006123015.tif 000008
【図７】
2006123015.tif 000009
【図８】
2006123015.tif 000010
【図９】
2006123015.tif 000011
【図１０】
2006123015.tif 000012